(57)【特許請求の範囲】
【請求項１】
画像を読み取る読取部によって、長方形状の原稿の画像を読み取る為に、当該原稿を所定の搬送経路に沿って搬送するＡＤＦユニットと、
前記ＡＤＦユニットの下方に配置され、長方形状の記録紙を搬送しつつ、当該記録紙に対して画像を形成する画像形成手段を備える本体ユニットと、を有する複合機であって、
前記ＡＤＦユニットは、
前記原稿の短辺方向に対応する幅を有し、前記複合機の上下方向に直交する第１方向に沿って延びると共に、当該原稿の搬送方向を変換するＵターン経路を、前記複合機の第１方向の一端部に備える搬送経路と、
前記原稿の長辺が前記複合機の第１方向に沿うように、前記原稿を前記搬送経路に従って搬送する搬送手段と、
前記複合機の第１方向に関しては、前記Ｕターン経路よりも外側となる範囲内であり、且つ、前記複合機の上下方向及び第１方向に直交する第２方向に関しては、前記搬送経路の幅に対応する範囲内に配設され、前記搬送手段に対して駆動力を付与する駆動モータと、を有し、
前記本体ユニットは、
前記記録紙の長辺が前記複合機の第１方向に沿った状態で当該記録紙を収容する収容部と、
前記収容部から所定の搬送方向に従って、前記記録紙を搬送しつつ、当該記録紙に画像を形成する画像形成手段と、を有する
ことを特徴とする複合機。
【請求項２】
請求項１記載の複合機であって、
前記本体ユニットは、
当該本体ユニットの上面の一部を構成し、前記原稿が載置される平板状のコンタクトガラスと、
前記コンタクトガラスの下方に配設され、当該コンタクトガラスに載置された原稿の画像を読取可能な読取部と、を有し、
前記駆動モータは、
前記ＡＤＦユニットの下面を構成する一部において前記コンタクトガラスと対向する平面よりも、当該駆動モータの一部が下方に突出するように配設され、
更に、前記本体ユニットは、
前記本体ユニットの上面において、前記ＡＤＦユニットにおける駆動モータの配設位置に対応する部分に形成され、前記ＡＤＦユニットの下面から突出した前記駆動モータの一部を収容可能な凹部と、を有する
ことを特徴とする複合機。
【請求項３】
請求項１又は請求項２記載の複合機であって、
前記画像形成手段は、
前記ＡＤＦユニットの搬送手段によって搬送される原稿の搬送方向と交差する方向に、前記記録紙を搬送する
ことを特徴とする複合機。
【請求項４】
請求項１乃至請求項３の何れかに記載の複合機であって、
前記ＡＤＦユニットは、
前記搬送経路に沿って、前記複合機の第１方向に延び、前記搬送手段に対して前記駆動モータの駆動力を伝達する第１ギヤ列と、
前記複合機の第２方向において、前記第１ギヤ列と異なる位置で、駆動モータの駆動軸から前記複合機の第１方向に向かって延び、当該駆動モータによる駆動力を伝達する第２ギヤ列と、
前記複合機の第２方向における前記第１ギヤ列と前記第２ギヤ列の間に相当する厚みを有し、前記第１ギヤ列の一端部に位置するギヤと、前記第２ギヤ列の一端部に位置する 
ギヤと接触する伝達ギヤと、を有する
ことを特徴とする複合機。
【請求項５】
請求項４記載の複合機であって、
前記ＡＤＦユニットが前記本体ユニットの上面を覆う閉鎖位置と、前記本体ユニットの上面を露出する開放位置との間を開閉可能となるように、前記ＡＤＦユニットを、前記本体ユニットに対して支持するヒンジ部を有し、
前記ヒンジ部は、
前記駆動モータと前記第１ギヤ列が隣接する前記本体ユニットの上面における角部分に配設されている
ことを特徴とする複合機。
【請求項６】
請求項５記載の複合機であって、
前記ヒンジ部は、前記ＡＤＦユニットを開閉自在に軸支する回動軸を有し、
前記コンタクトガラスの端縁に沿った位置で、所定範囲内を上下動可能に配設されており、
前記回動軸は、前記所定範囲内において前記ヒンジ部が最も下方に位置する場合も、前記本体ユニットの上面よりも上方に位置する
ことを特徴とする複合機。
【発明の詳細な説明】
【技術分野】
【０００１】
本発明は、スキャナ機能、プリンタ機能等を有する多機能機であって、画像形成部を含む本体ユニットの上部に、ＡＤＦユニットを備える複合機に関する。
【背景技術】
【０００２】
従来、複合機は、画像形成部等を含む本体ユニットと、当該本体ユニットの上部に配設されたＡＤＦユニット（所謂、ADF：Auto Document Feeder）と、を有して構成されており、プリンタ機能、スキャナ機能等の種々の機能を実現している。このような複合機において、ＡＤＦユニットは、読取部によって、長方形状の原稿の画像を読み取るために、当該原稿を順次、所定の搬送経路に沿って搬送するように構成されている。又、画像形成部は、長方形状の記録紙を搬送しつつ、当該記録紙に対する画像の形成を行うように構成されている。
【０００３】
このような複合機に関する発明として、特許文献１記載の発明が知られている。特許文献１記載の複合機は、本体と、本体上面に対して開閉自在に配設された原稿押さえカバーとを有して構成されており、本体は、画像形成部、読取部を有し、原稿押さえカバーには、ＡＤＦユニットが配設されている。
【先行技術文献】
【特許文献】
【０００４】
【特許文献１】特開２００９−１３９９７１号公報
【発明の概要】
【発明が解決しようとする課題】
【０００５】
特許文献１記載のような複合機において、ＡＤＦユニットは、複合機の操作パネル側を前方とした場合の左右方向に沿って伸びた搬送経路に従って、駆動モータの駆動により、長方形状の原稿を搬送するように構成されている。そして、当該原稿は、その短辺を搬送方向上流側及び下流側としつつ、搬送経路に沿って搬送される。
【０００６】
ここで、当該複合機において、駆動モータは、ＡＤＦユニットにおける搬送経路よりも後方（複合機の背面側）に配設されており、当該搬送経路の後側で、原稿を搬送するための部材（例えば、搬送ローラ等）にその駆動力を伝達するように構成されている。この結果、このような複合機においては、駆動モータの配設位置がＡＤＦユニットの搬送経路よりも後方となっているため、複合機の奥行方向（前後方向）を小型化する上で障害となってしまう。
【０００７】
更に、当該複合機において、本体に形成された画像形成部は、本体前面から装着される給紙カセット内の記録用紙を、給紙・搬送しつつ、当該記録用紙上に画像を形成する。当該給紙カセットにおいて、長方形状の記録用紙は、その短辺が複合機の左右方向に沿った状態（記録用紙の長辺が複合機の前後方向に沿った状態）で収容されており、画像を形成する際には、当該短辺を先頭に複合機の前後方向に沿って搬送される。従って、画像形成部においても、記録用紙の長辺が複合機の奥行方向に沿った態様で、記録用紙が収容されるため、複合機の奥行方向（前後方向）を小型化する上で障害となってしまう。
【０００８】
本発明は、画像形成部を含む本体ユニットの上部に、ＡＤＦユニットを備える複合機に関し、小型化に対応しうる複合機を提供する。
【課題を解決するための手段】
【０００９】
本発明の一側面に係る複合機は、ＡＤＦユニットと、当該ＡＤＦユニットの下方に配置され、画像形成手段を有する本体ユニットとを有して構成されている。当該ＡＤＦユニットは、搬送経路と、搬送手段と、駆動モータと、を有し、画像を読み取る読取部によって、長方形状の原稿の画像を読み取る為に、当該原稿を所定の搬送経路に沿って搬送する。ここで、搬送経路は、前記原稿の短辺方向に対応する幅を有し、前記複合機の上下方向に直交する第１方向に沿って延びている。そして、当該搬送経路は、当該原稿の搬送方向を変換するＵターン経路を、前記複合機の第１方向の一端部に備えている。そして、搬送手段は、前記原稿の長辺が前記複合機の第１方向に沿うように、前記原稿を前記搬送経路に従って搬送する。駆動モータは、前記複合機の第１方向に関しては、前記Ｕターン経路よりも外側となる範囲内であり、且つ、前記複合機の上下方向及び第１方向に直交する第２方向に関しては、前記搬送経路の幅に対応する範囲内に配設され、前記搬送手段に対して駆動力を付与する。前記複合機の第１方向に関しては、前記Ｕターン経路よりも外側となる範囲内であり、且つ、前記複合機の上下方向及び第１方向に直交する第２方向に関しては、前記搬送経路の幅に対応する範囲内に、駆動モータが配設されることにより、当該複合機は、第２方向における装置外形を小型化しうる。
又、当該本体ユニットは、記録紙の長辺が前記複合機の第１方向に沿った状態で当該記録紙を収容する収容部と、長方形状の記録紙を搬送しつつ、当該記録紙に対して画像を形成する画像形成手段と、を有している。当該複合機によれば、収容部において、記録紙は、その長辺が第１方向に沿った状態で収容されているため、当該複合機は、第２方向における装置外形を小型化しうる。
【００１０】
そして、本発明の他の側面に係る複合機において、前記駆動モータは、前記ＡＤＦユニットの下面を構成する一部において前記コンタクトガラスと対向する平面よりも、当該駆動モータの一部が下方に突出するように配設されている。又、前記本体ユニットは、コンタクトガラスと、読取部と、凹部とを、その上面に有している。凹部は、前記本体ユニットの上面において、前記ＡＤＦユニットにおける駆動モータの配設位置に対応する部分に形成され、前記ＡＤＦユニットの下面を構成する一部において前記コンタクトガラスと対向する平面よりも突出した前記駆動モータの一部を収容可能に構成されている。従って、当該複合機は、本体ユニット上面に形成された凹部に、駆動モータの一部を収容可能に構成することによって、その上下方向のサイズを小型化しうる。
【００１１】
又、本発明の他の側面に係る複合機において、前記画像形成手段は、前記ＡＤＦユニットの搬送手段によって搬送される原稿の搬送方向と交差する方向に、前記記録紙を搬送する。記録紙は、記録紙の長辺が前記複合機の第１方向に沿った状態で収容部に収容されており、前記ＡＤＦユニットの搬送手段によって搬送される原稿の搬送方向（即ち、複合機の第１方向）と交差する方向に搬送される。この結果、当該複合機は、画像形成手段における記録紙の搬送経路を短く構成することができ、第２方向における装置外形を小型化しうる。
【００１２】
そして、本発明の他の側面に係る複合機において、前記ＡＤＦユニットは、第１ギヤ列と、第２ギヤ列と、伝達ギヤとを有している。第１ギヤ列は、前記搬送経路に沿って、前記複合機の第１方向に延び、前記搬送手段に対して前記駆動モータの駆動力を伝達する。第２ギヤ列は、前記複合機の第２方向において、前記第１ギヤ列と異なる位置で、駆動モータの駆動軸から前記複合機の第１方向に向かって延び、当該駆動モータによる駆動力を伝達する。そして、伝達ギヤは、前記複合機の第２方向における前記第１ギヤ列と前記第２ギヤ列の間に相当する厚みを有し、前記第１ギヤ列の一端部に位置するギヤと、前記第２ギヤ列の一端部に位置するギヤと接触する。従って、駆動モータの駆動力は、第１ギヤ列、伝達ギヤ、第２ギヤ列を介して、搬送手段に伝達される。即ち、駆動モータが、前記複合機の第１方向に関しては、前記Ｕターン経路よりも外側となる範囲内であり、且つ、前記複合機の上下方向及び第１方向に直交する第２方向に関しては、前記搬送経路の幅に対応する範囲内に配設されている場合においても、当該複合機は、ＡＤＦユニットにおける第２方向のサイズを大きくすることなく、限られたスペースを活用して、駆動モータの駆動力を搬送手段に伝達しうる。
【００１３】
又、本発明の他の側面に係る複合機は、前記ＡＤＦユニットを、前記本体ユニットに対して支持するヒンジ部を有し、当該ヒンジ部によって、前記ＡＤＦユニットが前記本体ユニットの上面を覆う閉鎖位置と、前記本体ユニットの上面を露出する開放位置との間を開閉可能に支持されている。そして、当該ヒンジ部は、前記駆動モータと前記第１ギヤ列が隣接する前記本体ユニットの上面における角部分に配設されている。従って、当該複合機によれば、駆動モータと第１ギヤ列が隣接する前記本体ユニットの上面における角部分を有効活用でき、第２方向における装置外形を小型化しうる。
【００１４】
そして、本発明の他の側面に係る複合機であって、前記ヒンジ部は、前記ＡＤＦユニットを開閉自在に軸支する回動軸を有し、前記コンタクトガラスの端縁に沿った位置で、所定範囲内を上下動可能に配設されている。そして、前記回動軸は、前記所定範囲内において前記ヒンジ部が最も下方に位置する場合も、前記本体ユニットの上面よりも上方に位置する。これにより、当該複合機は、コンタクトガラスの端縁に沿った位置にヒンジ部を設けたとしても、ＡＤＦユニットの回動を妨げることなく、もって、第２方向における装置外形を小型化しうる。
【図面の簡単な説明】
【００１５】
【図１】複合機の外観斜視図である。
【図２】複合機における上部カバー、スキャナユニットの構成を示す断面図である。
【図３】上部カバーにおけるＡＤＦユニットの構成を示す断面図である。
【図４】複合機における駆動モータ、原稿搬送機構部、伝達機構部の構成を示す斜視図である。
【図５】複合機における駆動モータ、原稿搬送機構部、伝達機構部の配置を示す上面図である。
【図６】上部カバーを開放位置にした状態を示す説明図である。
【図７】ヒンジ部の構成を示す断面図である。
【図８】駆動モータ、搬送経路、給紙カセット内の記録用紙の配置を示す上面図である。
【図９】複合機における画像形成部の構成を示す断面図である。
【発明を実施するための形態】
【００１６】
以下、本発明に係る複合機を、ＡＤＦユニット１５、画像形成ユニット７０を有する複合機１に具体化した一実施形態について、図面を参照しつつ詳細に説明する。
【００１７】
先ず、本実施形態に係る複合機１の概略構成について、図面を参照しつつ詳細に説明する。尚、以下の説明においては、複合機１が使用可能に設置された状態を基準として、複合機１の上下方向を定義し、操作パネル２が配設されている側を手前側（正面）として、前後方向を定義して説明する。又、複合機１の左右方向については、複合機１の手前側（正面）から見た場合の左右方向として定義して説明する。
【００１８】
図１に示すように、複合機１は、上部カバー１０と、本体筐体５０とを有している。上部カバー１０は、本体筐体５０上面の後端縁を軸に開閉自在に配設されており、その左側部分に、ＡＤＦユニット１５（所謂、ADF：Auto Document Feeder）を備えている。ＡＤＦユニット１５は、原稿Ｓの画像を読み取るために、原稿Ｓを所定の原稿搬送経路２５に沿って搬送するユニットである。当該ＡＤＦユニット１５の構成については、後に図面を参照しつつ詳細に説明する。
【００１９】
そして、本体筐体５０は、複合機１における各種機能（スキャナ機能、ファクシミリ機能、及びプリンタ機能等）を実現するための各種構成部品を、当該本体筐体５０内部に収容している。具体的には、本体筐体５０は、その上部にスキャナユニット６０を有し、当該スキャナユニット６０の下方に、画像形成ユニット７０を有している。スキャナユニット６０は、原稿Ｓの画像を読み取る。画像形成ユニット７０は、スキャナユニット６０による読取や、外部から入力された画像データに基づいて、記録用紙Ｐ上に画像を形成するユニットである。スキャナユニット６０及び画像形成ユニット７０の構成については、後に図面を参照しつつ詳細に説明する。
【００２０】
ここで、上部カバー１０は、本体筐体５０上面の後端縁を軸に開閉自在に配設されており、図１〜図３等に示すように、上部カバー１０を閉じた場合に本体筐体５０上面（即ち、スキャナユニット６０の上面）を覆う。従って、上部カバー１０を閉じた場合、当該上部カバー１０は、スキャナユニット６０の読取対象として、後述するコンタクトガラス６１上にセットされた原稿Ｓをその位置に固定しうる。
【００２１】
そして、本体筐体５０は、当該複合機１の制御の中枢を担う制御部を収容している。当該制御部は、ＣＰＵ、ＲＯＭ、ＲＡＭ等を有しており、ＡＤＦユニット１５、スキャナユニット６０、及び画像形成ユニット７０等を制御することにより、複合機１における各種機能（スキャナ機能、ファクシミリ機能、及びプリンタ機能等）を実現する。
【００２２】
更に、本体筐体５０は、その前側上面に、複数の操作部を有する操作パネル２と、種々の情報を表示する液晶ディスプレイ３を有している。操作パネル２は、制御部と接続されており、複合機１に対する種々の指示を入力する際に操作される。従って、制御部は、操作パネル２に対するユーザの入力操作に基づいて、ユーザ所望の制御を実行しうる。又、液晶ディスプレイ３は、制御部と接続されている。従って、制御部は、操作パネル２に対するユーザの入力操作や演算処理結果に基づいて、液晶ディスプレイ３上に種々の情報を表示しうる。
【００２３】
本体筐体５０の前面には、前方が開放された空間が形成されており、当該空間には、給紙カセット５が脱着可能に取り付けられている。当該給紙カセット５は、画像形成ユニット７０による画像形成に用いられる被記録媒体である長方形状をなす記録用紙Ｐを積層状態で収容している。給紙カセット５内部において、記録用紙Ｐは、複合機１の左右方向に沿って当該記録用紙Ｐの長辺が位置するように収容されている（図８参照）。
又、当該給紙カセット５を前記空間に装着した場合、排紙収容空間６が、当該空間における給紙カセット５の上方に形成される。当該排紙収容空間６は、画像形成ユニット７０により画像が形成された記録用紙Ｐが排紙される空間であり、画像が形成された記録用紙Ｐは、給紙カセット５上面に順次積層される。
【００２４】
次に、複合機１におけるＡＤＦユニット１５の構成について、図面を参照しつつ詳細に説明する。図２〜図５に示すように、当該ＡＤＦユニット１５は、原稿載置部２０と、原稿搬送経路２５と、原稿搬送機構部３０と、駆動モータＭと、伝達機構部４０とを主に備えて構成されており、原稿載置部２０に載置された原稿Ｓを所定の原稿搬送経路２５（図３参照）に沿って搬送する。
【００２５】
原稿載置部２０は、上部カバー１０の左右方向における中央部分で、且つ上下方向の中間部分に形成された平面であり、ＡＤＦユニット１５による搬送対象である原稿Ｓが、その長辺が左右方向に沿った状態（つまり、短辺が複合機１の前後方向に沿った状態）で載置される部分である。当該原稿載置部２０は、原稿搬送経路２５における一端側に沿って形成されている。
【００２６】
原稿載置部２０の上方には、仕切板２１が、当該原稿載置部２０との間に一定の間隔を隔てて形成されており、ＡＤＦユニット１５内部において、原稿搬送機構部３０の上方部分を覆う仕切りとして機能する。又、当該仕切板２１は、原稿搬送経路２５における他端側に沿って形成され、その上面には、ＡＤＦユニット１５によって搬送された原稿Ｓが積層される。
【００２７】
当該原稿搬送経路２５は、複合機１の左右方向に沿って、原稿載置部２０から延び、仕切板２１表面を接続するように、ＡＤＦユニット１５内部に形成されており、Ｕターン経路２６を有している。そして、当該原稿搬送経路２５は、原稿Ｓの短辺に相当する幅（複合機１における前後方向の寸法）を有している。上述したように、原稿Ｓは、原稿載置部２０において、原稿Ｓの長辺が複合機１の左右方向に沿って載置されており、複合機１の左右方向に沿って延びる原稿搬送経路２５に従って搬送される。従って、原稿Ｓは、その短辺が複合機１の前後方向に沿った状態で、原稿搬送経路２５上を搬送される。
【００２８】
そして、Ｕターン経路２６は、ＡＤＦユニット１５の左側部分に、側面視略Ｕ字状に形成されており、原稿載置部２０から左方向に向かって搬送された原稿の搬送方向を１８０度変換しつつ、仕切板２１表面に導くための経路である（図３参照）。従って、Ｕターン経路２６は、原稿搬送経路２５の内、上部カバー１０における左側（後述するコンタクトガラス６１よりも左側）に位置する。
【００２９】
尚、本実施形態においては、原稿載置部２０表面から原稿搬送経路２５に沿って仕切板２１へ向かう方向を原稿Ｓの搬送方向という。そして、原稿搬送経路２５の幅は、原稿Ｓの短辺に相当する幅であって、原稿Ｓの短辺と同サイズ若しくは、原稿Ｓを円滑に搬送可能なように、原稿Ｓの短辺に対して一定の余裕を有するサイズを意味する。
【００３０】
図３、図４に示すように、原稿搬送機構部３０は、ＡＤＦユニット１５において、原稿載置部２０に載置された原稿Ｓを、給紙・搬送する為の機構部であり、駆動モータＭの駆動力が伝達機構部４０を介して伝達されることにより、原稿Ｓを原稿搬送経路２５に沿って搬送方向下流側へ搬送する。
【００３１】
原稿搬送機構部３０は、原稿供給ローラ３１、原稿接触部材３１Ａ、原稿分離ローラ３２、分離パッド３３、原稿搬送ローラ対３４、メインローラ３５、第１従動ローラ３６、第２従動ローラ３７を有している。原稿供給ローラ３１は、原稿載置部２０の搬送方向下流側において原稿搬送経路２５を搬送される原稿Ｓの下面に沿う位置に回転自在に軸支されており、駆動モータＭの駆動により、原稿載置部２０に載置された原稿Ｓを搬送方向下流側へ搬送する。
【００３２】
原稿接触部材３１Ａは、原稿搬送経路２５を介して、原稿供給ローラ３１と対向する位置に揺動自在に配設されており、原稿供給ローラ３１上に位置する原稿Ｓの上面と接触している。当該原稿接触部材３１Ａは、原稿載置部２０に積載された原稿Ｓを、原稿供給ローラ３１に押圧する。又、原稿接触部材３１Ａは、原稿Ｓの分離を円滑に行うために、原稿Ｓを捌く機能を有する。
【００３３】
原稿分離ローラ３２は、原稿供給ローラ３１よりも搬送方向下流側において、原稿搬送経路２５を搬送される原稿Ｓの下面に沿う位置に回転自在に軸支されており、駆動モータＭの駆動に伴って回転する。そして、当該原稿分離ローラ３２は、分離パッド３３と協働することで、一枚の原稿Ｓのみを分離して搬送方向下流側へ搬送する。
【００３４】
尚、原稿分離ローラ３２と原稿供給ローラ３１の間には、原稿供給ローラ３１に伝達された駆動力を、原稿供給ローラ３１に伝達する為の機構部が配設されている。従って、駆動モータＭの駆動力は、原稿分離ローラ３２及び当該機構部を介して、原稿供給ローラ３１に伝達される。
【００３５】
分離パッド３３は、所定の可撓性及び摩擦係数を有する材料で構成された薄板状の部材であり、原稿接触部材３１Ａよりも搬送方向下流側において、原稿搬送経路２５を介して、原稿分離ローラ３２と対向する位置に配設されている。そして、当該分離パッド３３は、原稿分離ローラ３２上に位置する原稿Ｓの上面に接触するように配設されており、当該原稿Ｓに摩擦力を付与することによって、原稿分離ローラ３２と協働して、原稿Ｓを一枚ずつに分離する。
【００３６】
原稿搬送ローラ対３４は、原稿分離ローラ３２及び分離パッド３３よりも搬送方向下流側において、原稿搬送経路２５を介して相互に対向する位置に回転自在に軸支されている。原稿搬送ローラ対３４の内、原稿搬送経路２５の上部に位置するローラは、駆動モータＭの駆動力によって回転駆動し、原稿搬送経路２５の下部に位置するローラは、対向するローラの回転に伴って従動する。原稿搬送ローラ対３４は、原稿分離ローラ３２等によって一枚ずつに分離された原稿を挟持しつつ回転することによって、当該原稿Ｓを、原稿搬送経路２５に沿って搬送方向下流側に搬送する。
【００３７】
メインローラ３５は、原稿搬送経路２５を構成するＵターン経路２６に沿う位置に回転自在に軸支されており、駆動モータＭの駆動により回転駆動する。又、当該メインローラ３５の外周面は、そのメインローラ３５と対向する湾曲形状のガイド面２６Ａと共に、Ｕターン経路２６の一部を構成し、当該メインローラ３５が回転することによって、原稿搬送ローラ対３４から搬送された原稿Ｓを、Ｕターン経路２６に沿って搬送する。
【００３８】
第１従動ローラ３６は、メインローラ３５の下側において、原稿搬送経路２５（Ｕターン経路２６）を介して対向する位置に回転可能に軸支されており、メインローラ３５の回転に伴って従動する。又、第２従動ローラ３７は、メインローラ３５の上側において、原稿搬送経路２５（Ｕターン経路２６）を介して対向する位置に回転可能に軸支されており、メインローラ３５の回転に伴って従動する。従って、原稿Ｓは、メインローラ３５、第１従動ローラ３６、第２従動ローラ３７の回転によって、Ｕターン経路２６に従って搬送される。
【００３９】
駆動モータＭは、ＡＤＦユニット１５における原稿Ｓの搬送に関する駆動源であり、制御部の制御に従って駆動する。図２〜図４、図６に示すように、当該駆動モータＭは、その一部が本体筐体５０側に突出するように配設されている。従って、当該複合機１は、上部カバー１０（ＡＤＦユニット１５）の内部に、駆動モータＭ全体を収納する場合と比較して、上部カバー１０の厚み（上下方向の寸法）を小さくしうる。
【００４０】
図２〜図６、図８に示すように、駆動モータＭは、複合機１の左右方向において、原稿搬送経路２５の内、最も左側に位置するＵターン経路２６よりもガイド面２６Ａを挟んで左側に配設されている。そして、駆動モータＭは、複合機１の前後方向において、原稿搬送経路２５の幅に対応する範囲内であって、複合機１の後部側に配設されている（図４、図５参照）。従って、当該複合機１は、従来のように駆動モータＭが原稿搬送経路２５の後側に配設されている場合に比べて、上部カバー１０の前後方向のサイズを小さくすることができる。又、この場合、当該複合機１は、上部カバー１０の前後方向のサイズを小さくしたとしても、Ｕターン経路２６よりも左側に駆動モータＭが配設されているため、原稿搬送経路２５における原稿Ｓの搬送を妨げることはない。
【００４１】
そして、伝達機構部４０は、駆動モータＭの駆動力を原稿搬送機構部３０に伝達する為の機構部であり、第１ギヤ列４１、第２ギヤ列４２、伝達ギヤ４３により構成される（図４、図５参照）。第１ギヤ列４１は、駆動モータＭから上部カバー１０の後方に向かって延びる駆動軸に接続されており、複合機１の左右方向に沿って、複数のギヤを列設することにより構成されている。当該第１ギヤ列４１は、メインローラ３５の回転軸に取り付けられたギヤを含んでおり、駆動モータＭの駆動力をメインローラ３５に伝達しうる。
【００４２】
第２ギヤ列４２は、原稿搬送経路２５の後側側面に沿って、複数のギヤを複合機１の左右方向に列設することによって構成されている（図４、図５参照）。即ち、第２ギヤ列４２は、複合機１の前後方向において、第１ギヤ列４１よりも所定量後方となる位置で、左右方向に延びている。そして、当該第２ギヤ列４２は、原稿搬送ローラ対３４の回転軸及び、原稿分離ローラ３２の回転軸の夫々に取り付けられたギヤを含んで構成されている。従って、第２ギヤ列４２は、駆動モータＭの駆動力を原稿搬送ローラ対３４及び原稿分離ローラ３２に伝達しうる。
【００４３】
そして、伝達ギヤ４３は、複合機１の前後方向における第１ギヤ列４１と第２ギヤ列４２の距離に相当する厚みを有しており、第１ギヤ列４１の最右端に位置するギヤ及び第２ギヤ列４２の最左端に位置するギヤの双方に接触する位置において、回転自在に軸支されている。従って、駆動モータＭの駆動力は、第１ギヤ列４１及び伝達ギヤ４３を介して、第２ギヤ列４２に伝達される。
【００４４】
即ち、前記複合機１の左右方向において、前記Ｕターン経路２６よりも左側であって、前記複合機１の前後方向において、原稿搬送経路２５の幅に対応する範囲内に、駆動モータＭが配設されている場合においても、当該複合機１は、上部カバー１０における前後方向のサイズを大きくすることなく、限られたスペースを活用して、駆動モータＭの駆動力を原稿搬送機構部３０に伝達しうる。
【００４５】
続いて、複合機１における本体筐体５０の構成について、図面を参照しつつ詳細に説明する。図１に示すように、本体筐体５０は、上面側にスキャナユニット６０を有し、当該スキャナユニット６０の下方に画像形成ユニット７０を有している。スキャナユニット６０は、原稿載置台として機能するコンタクトガラス６１、イメージセンサ６２、スライド軸、モータ等を備えている（図２等参照）。コンタクトガラス６１は、所謂「プラテンガラス」であり、本体筐体５０の左右方向に沿って長辺が位置するＡ４サイズよりもやや大きな長方形状に形成されている。
【００４６】
イメージセンサ６２は、所謂、密着型イメージセンサ（ＣＩＳ：Contact Image Sensor）により構成され、コンタクトガラス６１上に位置する原稿Ｓの画像を読み取る。当該イメージセンサ６２は、主走査方向（即ち、本体筐体５０における前後方向）がＡ４サイズの短辺に相当する長さの読取範囲を有しており、本体筐体５０の左右方向に向かって伸びるスライド軸によって、左右方向の一定の範囲（Ａ４サイズの長辺寸法に相当する範囲）内をスライド移動可能に保持されている。従って、当該複合機１は、制御部によるモータの駆動制御に基づいて、イメージセンサ６２をスライド軸に沿ってスライド移動しつつ、コンタクトガラス６１上に載置された原稿Ｓの画像を読み取り得る。
【００４７】
本体筐体５０上面には、凹部６５が、上部カバー１０における駆動モータＭの配設位置に対応する部分に、下方に凹んだ凹状に形成されている（図２〜図６参照）。当該凹部６５は、上部カバー１０を閉じた場合に、上部カバー１０の下方に突出する駆動モータＭの一部を収容する。これにより、当該複合機１は、上部カバー１０における駆動モータＭの配設位置及び凹部６５との協働により、複合機１の上下方向におけるサイズを小型化することができる。
【００４８】
そして、本体筐体５０上面の後端側の２箇所には、ヒンジ部材９０が配設されており、上部カバー１０の後端部に配設された回動軸９１を回動自在に軸支している（図５、図７参照）。即ち、当該ヒンジ部材９０は、当該回動軸９１を介して、本体筐体５０上面に対して上部カバー１０を開閉自在に軸支している（図１〜図６参照）。図７に示すように、当該ヒンジ部材９０は、コンタクトガラス６１の後端縁に沿って上下方向に移動可能に配設されている。そして、当該ヒンジ部材９０は、最も下方に位置する場合であっても、回動軸９１を本体筐体５０上面（即ち、コンタクトガラス６１上面）よりも上方に位置させる（図７（ａ）参照）。これにより、当該複合機１は、コンタクトガラス６１の後端縁に沿った位置において、ヒンジ部材９０を配設した場合であっても、上部カバー１０の開閉動作を妨げることはなく、当該複合機１の前後方向のサイズを小型化しうる。
【００４９】
図５に示すように、複合機１の左側に位置するヒンジ部材９０は、駆動モータＭ及び第１ギヤ列４１よりも後方に位置する角部分に配設されている。即ち、当該複合機１は、左側のヒンジ部材９０を、空きスペースである角部分を有効利用して配設することができ、もって、複合機１の前後方向のサイズを小型化しうる。
【００５０】
続いて、画像形成ユニット７０の構成について、図面を参照しつつ詳細に説明する。当該画像形成ユニット７０は、給紙カセット５に収容されている記録用紙Ｐを、複合機１の前後方向に沿って搬送しつつ、当該記録用紙Ｐ上に画像を形成するものであり、記録部７５と、用紙搬送路８０と、用紙搬送部８５とを有している。上述したように、記録用紙Ｐは、給紙カセット５内部において、当該記録用紙Ｐの長辺が複合機１の左右方向に沿った状態で収容されており、複合機１の前後方向に沿って延びる用紙搬送路８０に従って、用紙搬送部８５により搬送される。従って、当該記録用紙Ｐは、画像形成ユニット７０による画像形成に際して、記録用紙Ｐの長辺側の端部を先頭にして搬送される。
【００５１】
図９に示すように、記録部７５は、記録ヘッド７６と、記録ヘッド７６の下方に配設されたプラテン７７と、記録ヘッド７６を保持するキャリッジ７８と、キャリッジ７８と共に記録ヘッド７６を左右方向にスライド可能に支持するレール（図示せず）と、駆動力をキャリッジ７８に伝達する駆動伝達機構を含む駆動部（図示せず）と、を有して構成されており、用紙搬送路８０に沿って搬送される記録用紙Ｐに対して画像を形成する。
【００５２】
記録ヘッド７６は、吐出口を有するノズルを備えており、制御部の制御に従って、当該ノズルを圧電素子等で変形することで、吐出口からインク滴を下方のプラテン７７に向けて吐出する。当該複合機１は、記録用紙Ｐがプラテン７７上を前方に向かって搬送される過程において、記録ヘッド７６を左右方向へ往復動させつつ、インクを吐出することにより、記録用紙Ｐ表面のほぼ全面に画像を形成しうる。
【００５３】
用紙搬送路８０は、画像形成ユニット７０内において、複合機１の前後方向に沿って形成されており、第１用紙搬送路８１と、第２用紙搬送路８２とにより構成されている（図９参照）。第１用紙搬送路８１は、それぞれ弧状に形成され径方向に互いに対向する内側ガイド部材８１Ａと外側ガイド部材８１Ｂとにより構成され、一端が給紙カセット５の後端部の上に位置し、そこから上方へ延出されて、他端がプラテン７７の後方に位置する断面弧状（湾曲状）に形成されている。
【００５４】
第２用紙搬送路８２は、第１用紙搬送路８１の終端から、記録ヘッド７６とプラテン７７との間を介して、排紙収容空間６へ向かって延びる断面直線状に形成されている。第２用紙搬送路８２の下側ガイド面の一部は、プラテン７７の上面によって形成される。従って、給紙カセット５から供給された記録用紙Ｐは、第１用紙搬送路８１及び第２用紙搬送路８２に従って記録部７５へ到達し、第２用紙搬送路８２を介して、排紙収容空間６に排出される。
【００５５】
用紙搬送部８５は、用紙供給ローラ８６と、用紙搬送ローラ対８７と、用紙排出ローラ対８８と、を有しており、給紙カセット５に収容されている記録用紙Ｐを、複合機１の前後方向に沿って延びる用紙搬送路８０に沿って搬送する。
【００５６】
用紙供給ローラ８６は、アーム８６Ａと、ギヤ列８６Ｂと、支軸８６Ｃとを有して構成されており、給紙カセット５に載置された記録用紙Ｐを用紙搬送路８０に供給する。用紙供給ローラ８６は、給紙カセット５後部の上方部分において、支軸８６Ｃを中心に回動するアーム８６Ａの先端で回転可能に支持されている。駆動力が支軸８６Ｃに伝達されると、用紙供給ローラ８６は、アーム８６Ａ内に配設されたギヤ列８６Ｂを介して伝達された駆動力に基づいて回転する。用紙供給ローラ８６は、記録用紙Ｐに接触した状態で回転することで、記録用紙Ｐが用紙搬送路８０へ搬送される。
【００５７】
用紙搬送ローラ対８７は、記録部７５よりも後方側（搬送方向上流側）において、第２用紙搬送路８２を介して相互に対向する位置に回転可能に軸支されており、第２用紙搬送路８２を搬送される記録用紙Ｐを挟持しつつ回転することにより、記録用紙Ｐを記録部７５に対して搬送する。
【００５８】
用紙排出ローラ対８８は、記録部７５よりも前方（搬送方向下流側）において、第２用紙搬送路８２を介して相互に対向する位置に回転可能に軸支されており、記録部７５によって画像が形成された記録用紙Ｐを挟持しつつ回転することにより、記録用紙Ｐを排紙収容空間６に対して排紙する。
【００５９】
上述したように、記録用紙Ｐは、その短辺が複合機１の前後方向に沿った状態で給紙カセット５内に収容されており、用紙搬送路８０は、給紙カセット５の後部から上方へ延出されて、プラテン７７後方に向かって延びる断面弧状（湾曲状）に形成され、その端部から複合機１の前方に向かって直線状に延びている。つまり、当該複合機１において、用紙搬送路８０は、記録用紙Ｐの短辺方向と略同じ長さで形成される。これにより、当該複合機１は、記録用紙Ｐの長辺が複合機１の前後方向に沿った状態で、給紙カセット５に収容している場合に比べて、本体筐体５０の前後方向のサイズを小さくしうる。
【００６０】
図８に示すように、ＡＤＦユニット１５において、原稿Ｓは、その短辺が複合機１の前後方向に沿った状態で、原稿載置部２０に載置されている。又、本体筐体５０において、記録用紙Ｐは、その短辺が複合機１の前後方向に沿った状態で、給紙カセット５内に収容されている。従って、当該複合機１は、ＡＤＦユニット１５及び本体筐体５０の何れについても、その前後方向のサイズを小型化することができ、もって、複合機１の装置全体における前後方向のサイズを小型化しうる。
【００６１】
以上説明したように、本実施形態に係る複合機１は、ＡＤＦユニット１５を有する上部カバー１０と、スキャナユニット６０、画像形成ユニット７０を有する本体筐体５０により構成されている。当該ＡＤＦユニット１５は、原稿搬送経路２５と、原稿搬送機構部３０と、駆動モータＭと、を有し、スキャナユニット６０によって、原稿Ｓの画像を読み取る為に、当該原稿Ｓを原稿搬送経路２５に沿って搬送する。ここで、原稿搬送経路２５は、前記原稿Ｓの短辺方向に対応する幅を有し、前記複合機１の左右方向に沿って延びている。そして、当該原稿搬送経路２５は、当該原稿Ｓの搬送方向を変換するＵターン経路２６を、上部カバー１０における左側（原稿搬送経路２５の左端部）に備えている。そして、原稿搬送機構部３０は、前記原稿Ｓの長辺が前記複合機の左右方向に沿うように、前記原稿Ｓを原稿搬送経路２５に従って搬送する。駆動モータＭは、前記複合機１の左右方向において、前記Ｕターン経路２６よりも左側であって、前記複合機１の前後方向において、前記原稿搬送経路２５の幅に対応する範囲内に配設され、前記原稿搬送機構部３０に対して駆動力を付与する。従って、当該複合機１は、前後方向における装置外形を、原稿搬送経路２５の幅寸法とほぼ同程度まで小型化しうる（図５、図８参照）。
又、当該本体筐体５０は、記録用紙Ｐの長辺が前記複合機１の左右方向に沿った状態で当該記録用紙Ｐを収容する給紙カセット５と、記録用紙Ｐを搬送しつつ、当該記録用紙Ｐに対して画像を形成する画像形成ユニット７０と、を有している。当該給紙カセット５において、記録用紙Ｐは、その長辺が左右方向に沿った状態で収容されているため、当該複合機１は、前後方向における装置外形を小型化しうる。
【００６２】
前記駆動モータＭは、当該駆動モータＭの一部が前記ＡＤＦユニット１５を含む上部カバー１０の下面から下方に突出するように配設されている（図２、図３参照）。又、前記本体筐体５０は、コンタクトガラス６１と、イメージセンサ６２を有するスキャナユニット６０と、凹部６５とを、その上面に有しておいる。凹部６５は、前記本体筐体５０の上面において、前記上部カバー１０下面における駆動モータＭの配設位置に対応する部分に形成され、前記上部カバー１０の下面から突出した前記駆動モータＭの一部を収容可能に構成されている。従って、当該複合機１は、本体筐体５０上面に形成された凹部６５に、駆動モータＭの一部を収容可能に構成することによって、その上下方向のサイズを小型化しうる。
【００６３】
又、前記画像形成ユニット７０は、記録用紙Ｐの長辺が前記複合機１の左右方向に沿った状態で、給紙カセット５に収容されている記録用紙Ｐを、前記ＡＤＦユニット１５における原稿Ｓの搬送方向（左右方向）と直交する複合機１の前後方向に沿って搬送する。
この結果、当該複合機１は、画像形成ユニット７０における記録用紙Ｐの用紙搬送路８０を、記録用紙Ｐの短辺寸法と同程度まで短く構成することができ、前後方向における装置外形を小型化しうる。
【００６４】
そして、前記ＡＤＦユニット１５は、第１ギヤ列４１と、第２ギヤ列４２と、伝達ギヤ４３とを含む伝達機構部４０を有している。第１ギヤ列４１は、前記原稿搬送経路２５に沿って、前記複合機１の左右方向に延び、前記原稿搬送機構部３０に対して前記駆動モータＭの駆動力を伝達する。第２ギヤ列４２は、前記複合機１の前後方向において、前記第１ギヤ列４１と異なる位置で、駆動モータＭの駆動軸から前記複合機１の左右方向に向かって延び、当該駆動モータＭによる駆動力を伝達する。そして、伝達ギヤ４３は、前記複合機１の前後方向における前記第１ギヤ列４１と前記第２ギヤ列４２の間に相当する厚みを有し、前記第１ギヤ列４１の一端部に位置するギヤと、前記第２ギヤ列４２の一端部に位置するギヤと接触する。従って、駆動モータＭの駆動力は、第１ギヤ列４１、伝達ギヤ４３、第２ギヤ列４２を介して、原稿搬送機構部３０に伝達される。即ち、駆動モータＭが、前記複合機１の左右方向において、前記Ｕターン経路２６よりも左側であって、前記複合機１の前後方向において、前記原稿搬送経路２５の幅に対応する範囲内に配設されている場合においても、当該複合機１は、上部カバー１０における前後方向のサイズを大きくすることなく、限られたスペースを活用して、駆動モータＭの駆動力を原稿搬送機構部３０に伝達しうる（図４、図５参照）。
【００６５】
又、前記上部カバー１０は、ヒンジ部材９０によって、前記上部カバー１０が本体筐体５０の上面を覆う閉鎖位置（図１〜図３等参照）と、前記本体筐体５０の上面を露出する開放位置（図６参照）との間を開閉可能に支持されている。そして、当該ヒンジ部材９０は、前記駆動モータＭと前記第１ギヤ列４１が隣接する前記本体筐体５０の上面における角部分に配設されている（図５参照）。従って、当該複合機１によれば、駆動モータＭと第１ギヤ列４１が隣接する前記本体筐体５０の上面における角部分を有効活用でき、前後方向における装置外形を小型化しうる。
【００６６】
そして、前記ヒンジ部材９０は、前記上部カバー１０を開閉自在に軸支する回動軸９１を有し、前記コンタクトガラス６１の端縁に沿った位置で、所定範囲内を上下動可能に配設されている（図７参照）。前記回動軸９１は、前記ヒンジ部材９０が最も下方に位置する場合も、前記本体筐体５０の上面よりも上方に位置する（図７（ｂ）参照）。これにより、当該複合機１は、コンタクトガラス６１の後端縁に沿った位置にヒンジ部材９０を設けたとしても、上部カバー１０の回動を妨げることなく、もって、前後方向における装置外形を小型化しうる。
尚、本実施形態では、原稿Ｓの短辺がスキャナユニット６０におけるイメージセンサ６２の主走査方向に対応し、原稿Ｓの長辺がイメージセンサ６２の副走査方向と対応することを前提として説明した。しかし、原稿Ｓが小サイズであり、その小サイズ原稿の長辺がイメージセンサ６２の主走査方向の長さ以下であれば、当該小サイズ原稿の長辺を副走査方向と対応するようにして、小サイズ原稿を搬送しつつ、画像の読取が可能あることは当然である。
【００６７】
以上、実施形態に基づき本発明を説明したが、本発明は上述した実施形態に何ら限定されるものではなく、本発明の趣旨を逸脱しない範囲内で種々の改良変更が可能である。例えば、本実施形態においては、本発明における第１方向として、複合機１における左右方向、本発明における第２方向として、複合機１における前後方向としていたが、この態様に限定されるものではなく、前後方向と左右方向を相互に入れ替えてもよい。
【００６８】
又、本実施形態においては、画像形成ユニット７０は、記録ヘッド７６によりインク滴を吐出することで、記録用紙Ｐに画像を形成するインクジェット方式であったが、この態様に限定されるものではない。記録用紙Ｐを搬送しつつ画像を形成するものであれば、トナーを用いて画像を形成する方式を採用することも可能である。
【符号の説明】
【００６９】
１      複合機
５      給紙カセット
１０    上部カバー
１５    ＡＤＦユニット
２５    原稿搬送経路
２６    Ｕターン経路
３０    原稿搬送機構部
４０    伝達機構部
４１    第１ギヤ列
４２    第２ギヤ列
４３    伝達ギヤ
５０    本体筐体
６０    スキャナユニット
６５    凹部
７０    画像形成ユニット
７５    記録部
８０    用紙搬送路
８５    用紙搬送部
９０    ヒンジ部材
Ｍ      駆動モータ
Ｓ      原稿
Ｐ      記録用紙
【図１】
0005533824.tif 000002
【図２】
0005533824.tif 000003
【図３】
0005533824.tif 000004
【図４】
0005533824.tif 000005
【図５】
0005533824.tif 000006
【図６】
0005533824.tif 000007
【図７】
0005533824.tif 000008
【図８】
0005533824.tif 000009
【図９】
0005533824.tif 000010